(57)【要約】【課題】伝送信号速度及び伝送信号のフォーマットに依存することなく信号多重が可能な波長多重ネットワークにおいて、主光信号の品質劣化を招かずに且つ主光信号を光電変換することなく信号の送信元と受信元との対応関係を監視することができる光信号伝送システム等を提供する。【解決手段】光信号送信装置１０から波長多重光波ネットワークＮを介して光信号受信装置２０へ送信する主光信号に対して、主光信号の波長とは異なる波長の識別光を波長多重して送信する。識別光は、主光信号に応じて固有の変調周波数で周波数変調されている。識別子送信機１２は、主光信号と変調周波数との対応データをメモリ３０に出力し、識別子受信機２３は受信した主光信号と識別光の変調周波数との関係と、メモリ３０に記憶されている対応データとを比較して送信元と受信元との対応関係を監視する。【選択図】　図１
2004040668.tif 000002
【特許請求の範囲】
【請求項１】
主光信号に対応させて当該主光信号の波長とは異なる波長の識別光を出力するとともに、前記主光信号と識別光との対応関係を示す対応情報を出力する識別子送信手段と、
前記識別光送信手段から出力される識別光と前記主光信号とを波長多重して送信する波長多重手段と
を備えることを特徴とする光信号送信装置。
【請求項２】
前記主光信号は、互いに異なる波長に設定された複数の主光信号からなり、
前記識別子送信手段は、前記複数の主光信号各々に対して設けられることを特徴とする請求項１記載の光信号送信装置。
【請求項３】
前記識別子送信手段は、前記主光信号に対応させた周波数の変調信号を出力する周波数変調器と、
前記主光信号の波長とは異なる波長であって、前記周波数変調器から出力される変調信号で周波数変調したレーザ光を前記識別光として出力するレーザ光源と
を備えることを特徴とする請求項１又は請求項２記載の光信号送信装置。
【請求項４】
前記識別子送信手段は、前記主光信号に対応させて互いに異なる波長の光を射出する光源装置を備えることを特徴とする請求項１又は請求項２記載の光信号送信装置。
【請求項５】
前記対応情報を記憶する記憶手段を更に備えることを特徴とする請求項１から請求項４の何れか一項に記載の光信号送信装置。
【請求項６】
主光信号と、当該主光信号の波長とは異なる波長であって、当該主光信号に対応させて波長多重された識別光とを波長分離する波長分離手段と、
前記波長分離手段で分離された識別光を検出するとともに、前記主光信号と識別光との対応関係を示す対応情報と、検出された識別光と前記種光信号との対応関係とを比較する比較手段と
を備えることを特徴とする光信号受信装置。
【請求項７】
前記主光信号は、互いに異なる波長に設定された複数の主光信号からなり、
前記比較手段は、前記複数の主光信号各々に対して設けられることを特徴とする請求項６記載の光信号受信装置。
【請求項８】
前記識別光は、対応する前記主光信号に応じて固有の周波数で周波数変調されており、
前記比較手段は、前記識別光の変調周波数を検出することによって前記識別光を検出する検出手段を備えることを特徴とする請求項６は請求項７記載の光信号受信装置。
【請求項９】
前記識別光は、対応する前記主光信号に応じて固有の波長に設定されており、
前記比較手段は、前記識別光の波長を検出することによって前記識別光を検出する検出手段を備えることを特徴とする請求項６又は請求項７記載の光信号受信装置。
【請求項１０】
前記比較手段の比較結果に基づいて、経路の誤接続を通知する通知手段を備えることを特徴とする請求項６から請求項９の何れか一項に記載の光信号受信装置。
【請求項１１】
主光信号と識別光とを対応させて波長多重して波長多重光波ネットワークに送信するとともに、前記主光信号と識別光との対応関係を示す対応情報を出力する請求項１から請求項５の何れか一項に記載の光信号送信装置と、
前記波長多重光波ネットワークを介して送信されてくる前記主光信号及び前記識別光を受信し、前記主光信号と識別光との対応関係を示す対応情報と、検出された識別光と前記種光信号との対応関係とを比較する請求項６から請求項１０の何れか一項に記載の光信号受信装置と
を備えることを特徴とする光信号伝送システム。
【請求項１２】
主光信号に対応させて当該主光信号の波長とは異なる波長の識別光を出力するステップと、
前記主光信号と識別光との対応関係を示す対応情報を出力するステップと、
前記識別光送信手段から出力される識別光と前記主光信号とを波長多重して送信するステップと
を有することを特徴とする光信号送信方法。
【請求項１３】
主光信号と、当該主光信号の波長とは異なる波長であって、当該主光信号に対応させて波長多重された識別光とを波長分離するステップと、
前記波長分離手段で分離された識別光を検出するとともに、前記主光信号と識別光との対応関係を示す対応情報と、検出された識別光と前記種光信号との対応関係とを比較するステップと
を有することを特徴とする光信号受信方法。
【請求項１４】
請求項１２記載の光信号送信方法を用いて波長多重された主光信号及び識別光を、請求１３記載の光信号受信方法を用いて検出するステップと、
請求項１３記載の光信号受信方法を用いて、請求項１２記載の光信号送信方法を用いて出力された対応情報と、検出された主光信号及び識別光の対応関係とを比較するステップと
を有することを特徴とする光信号伝送方法。
【発明の詳細な説明】
【０００１】
【発明の属する技術分野】
本発明は、光信号伝送システム及び方法、光信号送信装置及び方法、並びに光信号受信装置及び方法に係り、特に伝送信号速度及び伝送信号のフォーマットに依存することなく信号多重が可能な波長多重光波ネットワークに用いて好適な光信号伝送システム及び方法、光信号送信装置及び方法、並びに光信号受信装置及び方法に関する。
【０００２】
【従来の技術】
一般的な通信ネットワークであるＳＤＨ（同期ディジタルハイアラーキ：Ｓｙｎｃｈｒｏｎｏｕｓ　Ｄｉｇｉｔａｌ　Ｈｉｅｒａｒｃｈｙ）ネットワークでは、主信号とともに伝送されるオーバーヘットを用いて通信ネットワークの保守・運用がなされている。例えば、トレイル識別子としてオーバーヘッド内のＪ０バイトを用いて信号の送信元と信号の受信先とが一致しているか否かを監視することにより、信号の送信元と受信先とが正しく対応しているか否かが判断される。
【０００３】
ＳＤＨネットワーク内に信号経路を切り替えるためのクロスコネクトスイッチ等のスイッチが設けられている場合には、スイッチの故障や誤動作によって送信元と受信先との対応関係に不具合が生じ、送信する信号が所望の受信先に伝送されないという障害が発生する虞がある。このために上述したトレイル識別子を用いて信号経路の誤接続を監視する必要がある。仮に、誤接続や信号断が検出された場合には、プロテクション又はレストレーションにより障害回復を行うことによってネットワークの信頼性を向上させている。
【０００４】
【発明が解決しようとする課題】
ところで、波長多重光波ネットワークにおいても、ネットワークの信頼性確保のためには時間多重ネットワークであるＳＤＨネットワークと同様に誤接続の監視が不可欠である。波長多重ネットワークは、伝送信号速度及び伝送信号のフォーマットに依存することなく信号多重が可能であるという利点を有する。よって、波長多重ネットワークにおいて、信号の送信元と信号の受信先とが一致しているか否かを監視する場合には、規定のフレームフォーマットに準じた信号多重を行うＳＤＨネットワークで用いられるオーバーヘッドと同様の方法を用いることはできない。なぜならば、波長多重光波ネットワークでは、主光信号のフォーマットが任意であるため、主光信号からオーバーヘッドビットを抽出することは不可能であるからである。
【０００５】
よって、波長多重光波ネットワークにおいて、信号の送信元と信号の受信先とが一致しているか否かを監視するためには、主光信号のフォーマットに依存しない監視方法が必要となる。波長多重光波ネットワークにおける信号の送信元と信号の受信先とが一致しているか否かを監視する方法として、例えば特開平９−２１５０７２号公報及び特開平１１−５５６９９公報では、主光信号の波長毎に固有の周波数が割り当てられたパイロットトーン信号を識別子として主光信号に重畳して光パスの設定状態及び信号レベルを監視する方法が提案されている。
【０００６】
しかしながら、上述したパイロットトーン信号を主光信号に重畳して光パスの設定状態及び信号レベルを監視する方法では、主光信号にパイロットトーンを重畳するために、パイロットトーン信号のＣＮ比だけでなく主光信号の品質劣化が生じる。よって、パイロット信号の有無だけの条件で比較した場合、主光信号の伝送可能最大距離や最大伝送速度が制限されてしまうという問題がある。
【０００７】
また、従来は主光信号を送出するレーザダイオードをパイロットトーン信号でサブキャリア変調してパイロットトーン信号を主光信号に重畳しているため、主光信号に識別子として重畳されるパイロット信号を付け替えるためには主光信号を一度光電変換しなければならない。よって、主光信号の光電変換無しにはパイロット信号の付け替えを行うことはできないという問題があった。
【０００８】
本発明は上記事情に鑑みてなされたものであり、伝送信号速度及び伝送信号のフォーマットに依存することなく信号多重が可能な波長多重ネットワークにおいて、主光信号の品質劣化を招かずに且つ主光信号を光電変換することなく信号の送信元と受信元との対応関係を監視することができる光信号伝送システム及び方法、光信号送信装置及び方法、並びに光信号受信装置及び方法を提供することを目的とする。
【０００９】
【課題を解決するための手段】
上記課題を解決するために、本発明の光信号送信装置は、主光信号に対応させて当該主光信号の波長とは異なる波長の識別光を出力するとともに、前記主光信号と識別光との対応関係を示す対応情報を出力する識別子送信手段（１２、１２−１〜１２−４、１２ａ、１２ｂ、４１、４１ａ、４１ｂ、４１−１〜４１−４）と、前記識別光送信手段から出力される識別光と前記主光信号とを波長多重して送信する波長多重手段（１５、１５ａ、１５ｂ）とを備えることを特徴としている。
また、本発明の光信号送信装置は、前記主光信号は、互いに異なる波長に設定された複数の主光信号からなり、前記識別子送信手段は、前記複数の主光信号各々に対して設けられることを特徴としている。
ここで、本発明の光信号送信装置は、前記識別子送信手段が、前記主光信号に対応させた周波数の変調信号を出力する周波数変調器（１３、１３−１〜１３−４、１３ａ、１３ｂ）と、前記主光信号の波長とは異なる波長であって、前記周波数変調器から出力される変調信号で周波数変調したレーザ光を前記識別光として出力するレーザ光源（１４、１４−１〜１４−４、１４ａ、１４ｂ）とを備えることが好ましい。
または、本発明の光信号送信装置は、前記識別子送信手段が、前記主光信号に対応させて互いに異なる波長の光を射出する光源装置（４２、４２−１〜４２−４、４２ａ、４２ｂ）を備えることが好ましい。
更に、本発明の光信号送信装置は、前記対応情報を記憶する記憶手段（３０）を備えることが好適である。
上記課題を解決するために、本発明の光信号送信装置は、主光信号と、当該主光信号の波長とは異なる波長であって、当該主光信号に対応させて波長多重された識別光とを波長分離する波長分離手段（２１、２１ａ、２１ｂ）と、前記波長分離手段で分離された識別光を検出するとともに、前記主光信号と識別光との対応関係を示す対応情報と、検出された識別光と前記種光信号との対応関係とを比較する比較手段（２３、２３ａ、２３ｂ、２３−１〜２３−４、５２、５２ａ、５２ｂ、５２−１〜５２−４）とを備えることを特徴としている。
また、本発明の光信号受信装置は、前記主光信号が、互いに異なる波長に設定された複数の主光信号からなり、前記比較手段が、前記複数の主光信号各々に対して設けられることを特徴としている。
また、本発明の光信号受信装置は、前記識別光が、対応する前記主光信号に応じて固有の周波数で周波数変調されており、前記比較手段が、前記識別光の変調周波数を検出することによって前記識別光を検出する検出手段（２４、２４−１〜２４−４、２４ａ、２４ｂ、２５、２５−１〜２５−４、２５ａ、２５ｂ）を備えることを特徴としている。
または、本発明の光信号受信装置は、前記識別光が、対応する前記主光信号に応じて固有の波長に設定されており、前記比較手段は、前記識別光の波長を検出することによって前記識別光を検出する検出手段（５３、５３−１〜５３−４、５３ａ、５３ｂ、５４、５４−１〜５４−４、５４ａ、５４ｂ）を備えることを特徴としている。
本発明の光信号受信装置は、前記比較手段の比較結果に基づいて、経路の誤接続を通知する通知手段（２７）を備えることを特徴としている。
上記課題を解決するために、本発明の光信号伝送システムは、主光信号と識別光とを対応させて波長多重して波長多重光波ネットワーク（Ｎ）に送信するとともに、前記主光信号と識別光との対応関係を示す対応情報を出力する上記の何れかの光信号送信装置（１０）と、前記波長多重光波ネットワークを介して送信されてくる前記主光信号及び前記識別光を受信し、前記主光信号と識別光との対応関係を示す対応情報と、検出された識別光と前記種光信号との対応関係とを比較する上記の何れかの光信号受信装置（２０）とを備えることを特徴としている。
上記課題を解決するために、本発明の光信号送信方法は、主光信号に対応させて当該主光信号の波長とは異なる波長の識別光を出力するステップと、前記主光信号と識別光との対応関係を示す対応情報を出力するステップと、前記識別光送信手段から出力される識別光と前記主光信号とを波長多重して送信するステップとを有することを特徴としている。
上記課題を解決するために、本発明の光信号受信方法は、主光信号と、当該主光信号の波長とは異なる波長であって、当該主光信号に対応させて波長多重された識別光とを波長分離するステップと、前記波長分離手段で分離された識別光を検出するとともに、前記主光信号と識別光との対応関係を示す対応情報と、検出された識別光と前記種光信号との対応関係とを比較するステップとを有することを特徴としている。
上記課題を解決するために、本発明の光信号受信方法は、上記の光信号送信方法を用いて波長多重された主光信号及び識別光を、上記の光信号受信方法を用いて検出するステップと、上記の光信号受信方法を用いて、上記の光信号送信方法を用いて出力された対応情報と、検出された主光信号及び識別光の対応関係とを比較するステップとを有することを特徴としている。
以上のように構成された本発明によれば、主光信号に対応させて当該主光信号の波長とは異なる波長の識別光を波長多重し、所望の監視点において識別光を主光信号から波長分離して取り出す。受信した主光信号と識別光との対応関係と、送信側における主光信号と識別光との対応関係とが一致しているか否かを監視すれば、主光信号を光電気変換することなく送信側と受信側とが正しく対応しているか否かを監視することができる。
また、主光信号に対して光電気変換する必要がないため、この監視は主光信号速度・フォーマットに依存することなく行うことが可能である。更に、主光信号への識別子の付加は、主光信号の送信端に限らず、送信端から受信端までの経路中の任意の位置で行うことが可能であり、付け替えも可能であるため、柔軟な監視を行うことができる。
【００１０】
【発明の実施の形態】
以下、図面を参照して本発明の実施形態による光信号伝送システム及び方法、光信号送信装置及び方法、並びに光信号受信装置及び方法について説明する。
〔第１実施形態〕
図１は、本発明の第１実施形態による光信号伝送システム、光信号送信装置、及び光信号受信装置の構成を示すブロックである。図１に示したように、本発明の第１実施形態による光信号伝送システムは、波長多重光波ネットワークＮに接続された光信号送信装置１０及び光信号受信装置２０、並びに光信号送信装置１０と光信号受信装置２０とに接続されたメモリ３０とから構成される。尚、本実施形態は、ある１つの波長の主光信号のみが光信号送信装置１０から波長多重光波ネットワークＮを介して光信号受信装置３０に送信される基本的な構成の実施形態である。
【００１１】
光信号送信装置１０は本発明の第１実施形態による光信号送信装置であり、主光信号送信機１１、識別子送信機１２、及び波長多重器１５を含んで構成される。主光信号送信機１１は、ある波長λの主光信号であって、光信号受信装置２０へ送信する主光信号を波長多重器１５に出力する。識別子送信機１２は、主光信号送信機１１から出力される主光信号を識別するための識別光を出力するためのものであり、周波数変調器１３及び識別光レーザダイオード（図面では「識別光ＬＤ」と表記する）１４からなる。
【００１２】
識別光レーザダイオード１４から射出されるレーザ光の波長は、主光信号送信機１１が出力する主光信号の波長λとは異なる波長λｆに設定される。周波数変調器１３は主信号送信機１１から出力される波長λの主光信号に対応づけた固有の周波数ｆの変調信号を識別光レーザダイオード１４に出力する。また、識別子送信機１２は、主光信号送信機１１から出力される主光信号の波長λと、この主光信号に対応づけた周波数ｆの電気周波数成分との対応関係を示す対応データをメモリ３０に出力する。波長多重器１５は主光信号送信機１１から出力される主光信号と識別子送信機１２から出力される識別光とを波長多重して波長多重光波ネットワークＮに送出する。メモリ３０は、半導体記憶装置、ハードディスク等の磁気記録装置、光磁気記録装置、その他の記憶装置により実現され、識別子送信機１２からの対応データを記憶する。
【００１３】
光信号受信装置２０は本発明の第１実施形態による光信号受信装置であり、波長分離器２１、主光信号受信機２２、識別子受信機２３、及びアラーム発生器２７を含んで構成される。波長分離器２１は波長多重光波ネットワークＮを介して送信されてきた主光信号と識別光とを分離する。主信号受信機２２は波長分離器２１で分離された主光信号を受信する。識別子受信機２３は、受信した識別光から波長λの主光信号に対応づけられている周波数ｆの電気周波数成分を検出する。この識別子受信機２３は、識別光検出器（図面では「識別光ＬＤ」と表記する）２４、周波数検出器２５、及び周波数比較機２６からなる。
【００１４】
識別光検出器２４は受信した識別光を光電変換した検出信号を出力する。周波数検出器２５は識別光検出器２４から出力される検出信号の電気周波数成分を検出する。周波数比較器２６は、周波数検出器２５で検出された周波数成分とメモリ３０に記憶されている対応データ中の周波数成分とを比較して比較結果をアラーム発生器２７へ出力する。アラーム発生器２７は、周波数比較器２６の比較結果に基づいてアラームを発生し、誤接続の有無を通知する。
【００１５】
次に、上記構成の本発明の第１実施形態による光信号伝送システム、光信号送信装置、及び光信号受信装置の動作、つまり本発明の第１実施形態による光信号伝送方法、光信号送信方法、並びに光信号受信方法について説明する。光信号送信装置１０から波長多重光波ネットワークＮを介して光信号受信装置２０に主光信号を送信する場合には、主光信号送信機１１から波長λの主光信号が出力されるとともに、識別子送信機１２から波長λの主光信号に対応付けた固有の周波数ｆで周波数変調した波長λｆの識別光が出力される。主光信号送信機１１から出力された主光信号及び識別子送信機１２から出力された識別光は波長多重器１５で波長多重された後、波長多重光波ネットワークＮに送出される。
【００１６】
この場合において、識別子送信機１２は主光信号送信機１１から出力される主光信号の波長λと、この主光信号に対応づけた周波数ｆの電気周波数成分との対応関係を示す対応データをメモリ３０に出力して記憶させておく。波長多重光波ネットワークＮを介して主光信号が送信されてくると光信号受信装置２０の波長分離器２１で受信されて主光信号と識別光とに分離される。
【００１７】
分離された主光信号は主光信号受信機２２で受信され、分離された識別光は識別子受信機２３で受信される。識別子受信機２３で受信された識別光は識別光検出器２４において光電変換されて検出信号として周波数検出器２５へ出力される。周波数検出器２５は識別光検出器２４から出力される検出信号の電気周波数成分を検出する。本実施形態では波長λの主光信号に対して固有の周波数ｆで周波数変調した波長λｆの識別光が対応付けられているので、周波数検出器２５で検出される電気周波数成分はｆである。
【００１８】
検出された電気周波数成分は周波数検出器２５から周波数比較器２６へ出力される。周波数比較器２６は周波数検出器２５から出力される電気周波数成分と、メモリ３０に記憶されている対応データ中の周波数成分とを比較して比較結果をアラーム発生器２７へ出力する。アラーム発生器２７は、周波数比較器２６の比較結果に基づいてアラームを発生し、誤接続の有無を通知する。例えば、周波数比較器２６の比較結果が、周波数検出器２５から出力される電気周波数成分と対応データ中の周波数成分とが一致する旨を示すものである場合には、アラーム発生器２７からアラームが発せられず波長多重光波ネットワークＮ内で正しくルーティングされていることが分かる。一方、比較結果が両者が相違する旨のものであれば、アラーム発生器２７からアラームが発せられ、誤接続していることとが分かる。
【００１９】
波長多重光波ネットワークＮを経て主光信号を送受信する場合、主光信号送信機１から送信された主光信号が主光信号受信機２２で受信されるまでの間に様々な経路を辿ることが想定される。伝送信号速度及び伝送信号のフォーマットに依存することなく信号多重が可能な波長多重光波ネットワークにおいては、従来の技術で説明したＳＤＨのようなオーバーヘッドを用いた誤接続の監視ができなかった。
【００２０】
しかしながら、本実施形態の光信号伝送システム及び方法、光信号送信装置及び方法、並びに光信号受信装置及び方法によれば、主光信号送信機１１から出力される波長λの主光信号と固有の周波数ｆで変調された識別光とを波長多重して光信号送信装置１０から波長多重光波ネットワークＮへ送出するとともに、主光信号と周波数ｆの電気周波数成分との対応関係をメモリ３０に記憶させている。そして、波長多重光波ネットワークＮを介して送信されてきた主光信号を受信する場合には波長分離した識別光の電気周波数成分を検出し、この電気周波数成分とメモリ３０に記憶されている対応データ中の周波数成分とを比較している。よって、本実施形態では従来のように主光信号を周波数変調する必要がないので、主光信号の品質劣化を招くことはない。また、主光信号を光電変換することなく信号の送信元と受信元との対応関係を監視することができる。
【００２１】
尚、識別子送信機１２とメモリ３０と識別子受信機２３の接続インターフェイスは任意の構成でよい。例えば専用の光回線であっても、Ｅｔｈｅｒｎｅｔ（登録商標）のような電気的回線であっても良い。また、上記実施形態では、識別子送信機１２が波長λの主光信号と周波数ｆの電気周波数成分との対応関係を示す対応データを生成してメモリ３０に出力して識別子受信機２３が読み出すようにしていた。しかしながら、識別子送信機１２と識別子受信機２３とがメモリ３０を介してデータの送受を行わず、予め固定的な対応データを識別子送信機１２と識別子受信機２３との双方に設けるようにしてもよい。更に、メモリ３０は前述した半導体記憶装置、ハードディスク等の磁気記録装置、光磁気記録装置、その他の記憶装置等の単純部品である必要はなく、データ管理センターのようなデータ管理能力を搭載したものであってもよい。また、メモリ３０は、一カ所に集中的に配備した構成であっても良く、分散的に配備した構成であっても良い。
【００２２】
〔第２実施形態〕
図２は、本発明の第２実施形態による光信号伝送システム、光信号送信装置、及び光信号受信装置の構成を示すブロックである。本実施形態は、ある地点間で異なる４波長の主光信号を送受信する場合の実施形態である。本発明の第２実施形態による光信号送信装置１０は、主光信号送信機１１−１〜１１−４、識別子送信機１２−１〜１２−４、及び波長多重器１５を含んで構成される。
【００２３】
主光信号送信機１１−１〜１１−４は、各々異なる波長λ１〜λ４の主光信号を出力する。識別子送信機１２−１〜１２−４は、主光信号の波長λ１〜λ４とは異なる波長λｆであって、各々が異なる電気周波数成分で周波数変調された識別光を出力する。識別子送信機１２−１は、周波数変調器１３−１と識別光レーザダイオード１４−１とから構成される。尚、他の識別子送信機１２−２〜１２−４も周波数変調器１３−１及び識別光レーザダイオード１４−１と同様の周波数変調器１３−２〜１３−４（図示省略）及び識別光レーザダイオード１４−２〜１４−４（図示省略）から構成される。
【００２４】
識別光レーザダイオード１４−１〜１４−４から射出されるレーザ光の波長は、主光信号送信機１１−１〜１１−４から出力される主光信号の波長λ１〜λ４とは異なる波長λｆに設定される。周波数変調器１３−１は主信号送信機１１−１から出力される波長λ１の主光信号に対応づけた固有の周波数ｆ１の変調信号を識別光レーザダイオード１４−１に出力する。周波数変調器１３−１〜１３−４は主信号送信機１１−１〜１１−４各々から出力される波長λ１〜λ４の主光信号に対応づけた固有の周波数ｆ１〜ｆ４の変調信号を識別光レーザダイオード１４−１〜１４−４にそれぞれ出力する。
【００２５】
また、識別子送信機１２−１〜１２−４は、主光信号送信機１１−１〜１１−４から出力される主光信号の波長λ１〜λ４と、この主光信号に対応づけた周波数ｆ１〜ｆ４の電気周波数成分との対応関係を示す対応データをメモリ３０に出力する。波長多重器１５は主光信号送信機１１−１〜１１−４から出力される主光信号と識別子送信機１２から出力される識別光とを波長多重して波長多重光波ネットワークＮに送出する。メモリ３０は、第１実施形態と同様に、半導体記憶装置、ハードディスク等の磁気記録装置、光磁気記録装置、その他の記憶装置により実現され、識別子送信機１２−１〜１２−４からの対応データを記憶する。
【００２６】
本発明の第２実施形態による光信号受信装置２０は、波長分離器２１、主光信号受信機２２−１〜２２−４、識別子受信機２３−１〜２３−４、及びアラーム発生器２７を含んで構成される。波長分離器２１は波長多重光波ネットワークＮを介して送信されてきた主光信号と識別光とを分離する。主信号受信機２２−１〜２２−４は波長分離器２１で分離された波長毎の主光信号をそれぞれ受信する。識別子受信機２３−１〜２３−４は、受信した識別光から波長λ１〜λ４の主光信号各々に対応づけられている周波数ｆ１〜ｆ４の電気周波数成分を検出する。この識別子受信機２３−１は、識別光検出器２４−１、周波数検出器２５−１、及び周波数比較機２６−１からなる。同様に、識別子受信機２３−２〜２３−４は、識別光検出器２４−２〜２４−４、周波数検出器２５−２〜２５−４、及び周波数比較機２６−２〜２６−４からなる。
【００２７】
識別光検出器２４−１〜２４−４は受信した識別光を光電変換した検出信号を出力する。周波数検出器２５−１〜２５−４は識別光検出器２４−１〜２４−４各々から出力される検出信号の電気周波数成分を検出する。周波数比較器２６ー１〜２６−４は、周波数検出器２５−１〜２５−４で検出された周波数成分とメモリ３０に記憶されている対応データ中の周波数成分とを比較して比較結果をアラーム発生器２７へ出力する。アラーム発生器２７は、周波数比較器２６−１〜２６−４の比較結果に基づいてアラームを発生し、誤接続の有無を通知する。
【００２８】
次に、上記構成の本発明の第２実施形態による光信号伝送システム、光信号送信装置、及び光信号受信装置の動作、つまり本発明の第２実施形態による光信号伝送方法、光信号送信方法、並びに光信号受信方法について説明する。光信号送信装置１０から波長多重光波ネットワークＮを介して光信号受信装置２０に主光信号を送信する場合には、主光信号送信機１１−１〜１１−４から波長λ１〜λ４の主光信号がそれぞれ出力されるとともに、識別子送信機１２−１〜１２−４から波長λ１〜λ４の主光信号に対応付けた固有の周波数ｆ１〜ｆ４で周波数変調した波長λｆの識別光が出力される。ここで、識別子送信機１２−１〜１２−４各々から出力される識別光の波長はそれぞれλｆであって同一であるが、周波数ｆ１〜ｆ４で周波数変調されている点に注意されたい。主光信号送信機１１−１〜１１−４から出力された主光信号及び識別子送信機１２−１〜１２−４から出力された識別光は波長多重器１５で波長多重された後、波長多重光波ネットワークＮに送出される。
【００２９】
この場合において、識別子送信機１２−１〜１２−４は、主光信号送信機１１−１〜１１−４から出力される主光信号の波長λ１〜λ４と、この主光信号に対応づけた周波数ｆ１〜ｆ４の電気周波数成分との対応関係を示す対応データをメモリ３０に出力して記憶させておく。波長多重光波ネットワークＮを介して主光信号が送信されてくると光信号受信装置２０の波長分離器２１で受信されて４つの主光信号と１つの識別光とに分離される。
【００３０】
分離された主光信号は主光信号受信機２２−１〜２２−４で各々受信され、分離された識別光は識別子受信機２３−１〜２３−４の全てで受信される。識別子受信機２３−１〜２３−４は受信した識別光から波長λ１〜λ４の各々に対応づけられている電気周波数成分を検出し、この電気周波数成分とメモリ３０に記憶されている対応データ中の周波数成分とを比較して比較結果をアラーム発生器２７へ出力する。例えば、識別子受信機２３−１は、波長λ１の主光信号に対応づけられている周波数ｆ１の電気周波数成分を検出し、この対応関係が対応データと一致するか否かの比較結果をアラーム発生器２７へ出力する。識別子受信機２３−２〜２３−４についても同様に、波長λ２〜λ４の主信号にそれぞれ対応づけられている周波数ｆ２〜ｆ４の電気周波数成分の検出結果と対応データとが一致するか否かの比較結果をアラーム発生器２７へ出力する。
【００３１】
アラーム発生器２７は識別子受信機２３−２〜２３−４から出力される比較結果が異なる場合には、波長λ１〜λ４の主光信号のうち誤接続されているものについて誤接続アラームを発生させ、波長多重光波ネットワークＮ内で何らかの誤接続が生じており、光主審号の送受信が正しく行われていないことを通知する。以上説明したように、本発明の第２実施形態においても第１実施形態と同様に、主光信号を周波数変調する必要がないので主光信号の品質劣化を招くことはない。また、主光信号を光電変換することなく信号の送信元と受信元との対応関係を監視することができる。
【００３２】
尚、本実施形態においても識別子送信機１２−１〜１２−４とメモリ３０と識別子受信機２３−１〜２３−４の接続インターフェイスは任意の構成でよい。例えば専用の光回線であっても、Ｅｔｈｅｒｎｅｔ（登録商標）のような電気的回線であっても良い。また、上記実施形態では、識別子送信機１２−１〜１２−４が波長λ１〜λ４の主光信号と周波数ｆ１〜ｆ４の電気周波数成分との対応関係を示す対応データを生成してメモリ３０に出力して識別子受信機２３−１〜２３−４が読み出すようにしていた。しかしながら、識別子送信機１２−１〜１２−４と識別子受信機２３−１〜２３−４とがメモリ３０を介してデータの送受を行わず、予め固定的な対応データを識別子送信機１２−１〜１２−４と識別子受信機２３−１〜２３−４との双方に設けるようにしてもよい。更に、メモリ３０は前述した半導体記憶装置、ハードディスク等の磁気記録装置、光磁気記録装置、その他の記憶装置等の単純部品である必要はなく、データ管理センターのようなデータ管理能力を搭載したものであってもよい。また、メモリ３０は、一カ所に集中的に配備した構成であっても良く、分散的に配備した構成であっても良い。
【００３３】
また、上述した第２実施形態では、波長λ１〜λ４の主光信号に対して互いに異なる周波数ｆ１〜ｆ４で周波数変調された識別光を対応づけ、識別子受信機２３−１〜２３−４を設けて各主光信号の経路を監視していたが、識別子受信機２３−１〜２３−４を一つにまとめて監視することも可能である。
【００３４】
〔第３実施形態〕
図３は、本発明の第３実施形態による光信号伝送システム、光信号送信装置、及び光信号受信装置の構成を示すブロックである。尚、図３において、図１に示した部材と同一の部材には同一の符号を付してある。前述した第１実施形態では、主光信号の波長λの波長とは異なる波長λｆのレーザ光を周波数変調器１３から出力される変調信号で変調した識別光を波長λの主光信号に対応付けていたが、本実施形態では、光信号とは異なる固有の波長の識別光を対応付けて波長多重している。
【００３５】
本発明の第３実施形態による光信号送信装置１０は、主光信号送信機４０、識別子送信機４１、及び波長多重器１５を含んで構成される。主光信号送信機４０は、図１に示した主光信号送信機１１と同様の構成であるが、波長がλ１の主光信号を射出する点のみが相違する。識別子送信機４１は主光信号送信機４０から出力される主光信号を識別するための識別光を出力するためのものであり、識別光レーザダイオード４２を備える。この識別光レーザダイオード４２は、主光信号の波長λ１とは異なる波長λ１ｓｖのレーザ光を射出する。また、識別子送信機４１は、波長λ１の主光信号と波長λ１ｓｖの識別光との対応関係を示す対応データをメモリ３０へ出力する。
【００３６】
本発明の第３実施形態による光信号受信装置２０は、波長分離器２１、光フィルタ５１、主光信号受信機２２、識別子受信機５２、及びアラーム発生器２７を含んで構成される。光フィルタ５１は主光信号の波長域の光のみを透過させ、他の波長の光を遮断する透過特性を有し、光主信号受信機２２に入射する光のフィルタリングを行う。識別子受信機５２は、光フィルタ５３及び識別光検出器５４を有し、波長λ１の主光信号に対応づけられている波長λ１ｓｖを検出し、この対応関係がメモリ３０に予め記憶されている対応データと一致するか否かの比較結果をアラーム発生器２７へ出力する。
【００３７】
光フィルタ５３は、識別光の波長域の光のみを透過させる透過特性を有し、識別光検出器５４に入射する光のフィルタリングを行う。識別光検出器５４は光フィルタ５３を透過した光の波長成分を検出し、検出した波長成分とメモリ３０に記憶されている対応データ中の波長成分とを比較して比較結果をアラーム発生器２７へ出力する。
【００３８】
次に、上記構成の本発明の第３実施形態による光信号伝送システム、光信号送信装置、及び光信号受信装置の動作、つまり本発明の第３実施形態による光信号伝送方法、光信号送信方法、並びに光信号受信方法について説明する。光信号送信装置１０から波長多重光波ネットワークＮを介して光信号受信装置２０に主光信号を送信する場合には、主光信号送信機４０から波長λ１の主光信号が出力されるとともに、識別子送信機４１から主光信号に対応付けた固有の波長λ１ｓｖの識別光が出力される。主光信号送信機４０から出力された主光信号及び識別子送信機４１から出力された識別光は波長多重器１５で波長多重された後、波長多重光波ネットワークＮに送出される。
【００３９】
この場合において、識別子送信機４１は、主光信号送信機４０から出力される主光信号の波長λ１と、この主光信号に対応づけた識別光の波長λ１ｓｖとの対応関係を示す対応データをメモリ３０に出力して記憶させておく。波長多重光波ネットワークＮを介して主光信号が送信されてくると、光信号受信装置２０の波長分離器２１において、波長λ１の主光信号と波長λ１ｓｖの識別光とに分離される。
【００４０】
分離された主光信号は光フィルタ５１に入射して波長λ１の波長成分のみが光フィルタ５１を通過して主光信号受信機２２で受信される。一方、分離された識別光は識別子受信機５２の光フィルタ５３に入射し、波長λ１ｓｖの波長成分が光フィルタ５３を通過して識別光検出器５４で検出される。識別光検出器５４は、検出した波長成分とメモリ３０に記憶されている対応データ中の波長成分とを比較して比較結果をアラーム発生器２７へ出力する。アラーム発生器２７は、識別光検出器５４の比較結果に基づいてアラームを発生し、誤接続の有無を通知する。以上説明したように、本発明の第３実施形態においても第１実施形態と同様に、主光信号を周波数変調する必要がないので主光信号の品質劣化を招くことはない。また、主光信号を光電変換することなく信号の送信元と受信元との対応関係を監視することができる。
【００４１】
尚、本実施形態においても識別子送信機４１とメモリ３０と識別子受信機５２の接続インターフェイスは任意の構成でよい。例えば専用の光回線であっても、Ｅｔｈｅｒｎｅｔ（登録商標）のような電気的回線であっても良い。また、上記実施形態では、識別子送信機４１が波長λ１の主光信号と波長λ１ｓｖの識別光との対応関係を示す対応データを生成してメモリ３０に出力して識別子受信機５２が読み出すようにしていた。しかしながら、識別子送信機４１と識別子受信機５４とがメモリ３０を介してデータの送受を行わず、予め固定的な対応データを識別子送信機４１と識別子受信機５２との双方に設けるようにしてもよい。更に、メモリ３０は前述した半導体記憶装置、ハードディスク等の磁気記録装置、光磁気記録装置、その他の記憶装置等の単純部品である必要はなく、データ管理センターのようなデータ管理能力を搭載したものであってもよい。また、メモリ３０は、一カ所に集中的に配備した構成であっても良く、分散的に配備した構成であっても良い。
【００４２】
更に、上記実施形態では、波長λ１の主光信号と波長λ１ｓｖの識別光を波長分離器２１で分離した後、光フィルタ５１及び光フィルタ５３を用いてフィルタリングしているが、例えば波長分離器２１として回折格子型光導波路フィルタ（ＡＷＧ：Ａｒｒａｙｅｄ　Ｗａｖｅｇｕｉｄｅ　Ｇｒａｔｉｎｔｇ）等を用いれば、波長分離器２１、光フィルタ５１，５３をまとめて１つのＡＷＧで代用することもできる。
【００４３】
〔第４実施形態〕
図４は、本発明の第４実施形態による光信号伝送システム、光信号送信装置、及び光信号受信装置の構成を示すブロックである。尚、図４において、図２に示した部材と同一の部材には同一の符号を付してある。前述した第２実施形態では、主光信号の波長λ１〜λ４の波長とは異なる波長λｆの光を固有の周波数ｆ１〜ｆ４で変調した識別光を、波長λ１〜λ４の主光信号各々に対応付けていたが、本実施形態では、互いに異なる波長λ１ｓｖ〜λ４ｓｖの識別光を波長λ１〜λ４にそれぞれ対応付けて波長多重している点が異なる。
【００４４】
本発明の第４実施形態による光信号送信装置１０は、主光信号送信機４０−１〜４０−４、識別子送信機４１−１〜４１−４、及び波長多重器１５を含んで構成される。主光信号送信機４０−１〜４０−４は互いに異なる周波数λ１〜λ４の主光信号を出力する。識別子送信機４１−１〜４１−４はそれぞれ異なる波長のレーザ光λ１ｓｖ〜λ４ｓｖを射出する識別光レーザダイオード４２−１〜４２−４を備える。また、識別子送信機４１−１〜４１−４は、主光信号と識別光との対応関係を示す対応データをメモリ３０へ出力する。
【００４５】
本発明の第４実施形態による光信号受信装置２０は、波長分離器２１、光フィルタ５１−１〜５１−４、主光信号受信機２２−１〜２２−４、識別子受信機５２−１〜５２−４、及びアラーム発生器２７を含んで構成される。光フィルタ５１−１〜５１−４は主光信号の波長域の光のみを透過させ、他の波長域の光を遮断する透過特性を有し、光主信号受信機２２−１〜２２ー４各々に入射する光のフィルタリングを行う。識別子受信機５２−１〜５２−４は、主光信号に対応づけられている波長を検出し、この対応関係がメモリ３０に予め記憶されている対応データと一致するか否かの比較結果をアラーム発生器２７へ出力する。
【００４６】
識別子受信機５２−１〜５２−４はそれぞれ光フィルタ５３−１〜５２−４及び識別光検出器５４−１〜５４−４を有する。光フィルタ５３−１〜５３−４は波長分離器２１で分離された識別光の波長域の光のみを透過させ、他の波長の光を遮断する透過特性を有し、識別光検出器５４−１〜５４−４に入射する光のフィルタリングを行う。識別光検出器５４−１〜５４−４は光フィルタ５３−１〜５３−４各々を透過した光の波長成分を検出し、検出した波長成分とメモリ３０に記憶されている対応データ中の波長成分とを比較して比較結果をアラーム発生器２７へ出力する。
【００４７】
次に、上記構成の本発明の第４実施形態による光信号伝送システム、光信号送信装置、及び光信号受信装置の動作、つまり本発明の第４実施形態による光信号伝送方法、光信号送信方法、並びに光信号受信方法について説明する。光信号送信装置１０から波長多重光波ネットワークＮを介して光信号受信装置２０に主光信号を送信する場合には、主光信号送信機４０−１〜４０−４から波長λ１〜λ４の主光信号がそれぞれ出力されるとともに、識別子送信機４１−１〜４１−４から波長λ１〜λ４の主光信号各々に対応付けた固有の波長λ１ｓｖ〜λ４ｓｖの識別光が出力される。主光信号送信機４０−１〜４０−４から出力された主光信号及び識別子送信機４１−１〜４１−４から出力された識別光は波長多重器１５で波長多重された後、波長多重光波ネットワークＮに送出される。
【００４８】
この場合において、識別子送信機４１ー１〜４１−４は、主光信号送信機４０−１〜４０−４各々から出力される主光信号の波長λ１〜λ４と、この主光信号に対応づけた識別光の波長λ１ｓｖ〜λ４ｓｖとの対応関係を示す対応データをメモリ３０に出力して記憶させておく。波長多重光波ネットワークＮを介して主光信号が送信されてくると、光信号受信装置２０の波長分離器２１において、波長λ１〜λ４の主光信号及び波長λ１ｓｖ〜λ４ｓｖの識別光は各波長毎に分離される。
【００４９】
分離された主光信号は光フィルタ５１−１〜５１−４に入射する。光フィルタ５１−１に入射した光の内、波長λ１の主光信号が光フィルタ５１−１を通過して主光信号受信機２２−１で受信される。同様に、波長λ２〜λ４の主光信号各々が光フィルタ５１−２〜５２−４をそれぞれ通過して主光信号受信機２２−２〜２２−４各々で受信される。一方、分離された各識別光は識別子受信機５２−１〜５２−４各々の光フィルタ５３−１〜５３−４にそれぞれ入射し、波長λ１ｓｖ〜λ４ｓｖの波長成分各々が光フィルタ５３−１〜５３−４を通過して識別光検出器５４−１〜５４−４でそれぞれで検出される。
【００５０】
識別光検出器５４−１〜５４−４は、検出した波長成分とメモリ３０に記憶されている対応データ中の波長成分とを比較して比較結果をアラーム発生器２７へ出力する。アラーム発生器２７は、識別光検出器５４−１〜５４−４の比較結果に基づいてアラームを発生し、誤接続の有無を通知する。以上説明したように、本発明の第３実施形態においても第２実施形態と同様に、主光信号を周波数変調する必要がないので主光信号の品質劣化を招くことはない。また、主光信号を光電変換することなく信号の送信元と受信元との対応関係を監視することができる。
【００５１】
尚、本実施形態においても識別子送信機４１−１〜４１−４とメモリ３０と識別子受信機５２−１〜５２−４の接続インターフェイスは任意の構成でよい。例えば専用の光回線であっても、Ｅｔｈｅｒｎｅｔ（登録商標）のような電気的回線であっても良い。また、上記実施形態では、識別子送信機４１−１〜４１−４が波長λ１〜λ４の主光信号と波長λ１ｓｖ〜λ４ｓｖの識別光との対応関係を示す対応データを生成してメモリ３０に出力して識別子受信機５２−１〜５２−４各々が読み出すようにしていた。しかしながら、識別子送信機４１−１〜４１−４と識別子受信機５２−１〜５２−４とがメモリ３０を介してデータの送受を行わず、予め固定的な対応データを識別子送信機４１−１〜４１−４と識別子受信機５２−１〜５２−４との双方に設けるようにしてもよい。更に、メモリ３０は前述した半導体記憶装置、ハードディスク等の磁気記録装置、光磁気記録装置、その他の記憶装置等の単純部品である必要はなく、データ管理センターのようなデータ管理能力を搭載したものであってもよい。また、メモリ３０は、一カ所に集中的に配備した構成であっても良く、分散的に配備した構成であっても良い。
【００５２】
更に、上記実施形態では、波長λ１〜λ４の主光信号と波長λ１ｓｖ〜λ４ｓｖの識別光を波長分離器２１で分離した後、光フィルタ５１−１〜５１−４及び光フィルタ５３−１〜５３−４を用いてフィルタリングしているが、例えば波長分離器２１として回折格子型光導波路フィルタ（ＡＷＧ：Ａｒｒａｙｅｄ　Ｗａｖｅｇｕｉｄｅ　Ｇｒａｔｉｎｔｇ）等を用いれば、波長分離器２１、光フィルタ５１−１〜５１−４，５３−１〜５３−４をまとめて１つのＡＷＧで代用することもできる。
【００５３】
〔第５実施形態〕
図５は、本発明の第５実施形態による光信号伝送システム、光信号送信装置、及び光信号受信装置の構成を示すブロックである。本実施形態は、図１に示した本発明の第１実施形態による光信号伝送システム、光信号送信装置、及び光信号受信装置を光スイッチＳＷの経路を監視する場合に適用している。図５に示した光スイッチは２入力端及び２出力端を有し、これらの間の経路を切り替える。波長λ１の主光信号及び識別子送信機１２ａから出力される波長λｓｖの識別光は波長多重器１５ａに入力されており、波長多重器１５ａの出力端は光ファイバ６０ａを介して光スイッチＳＷの一方の入力端に接続されている。
【００５４】
同様に、波長λ２の主光信号及び識別子送信機１２ｂから出力される波長λｓｖの識別光は波長多重器１５ｂに入力されており、波長多重器１５ｂの出力端は光ファイバ６０ｂを介して光スイッチＳＷの他方の入力端に接続されている。ここで、識別子送信機１２ａから出力される識別光は、波長λ１の主光信号に対応付けられた固有の周波数ｆ１で周波数変調され、識別子送信機１２ｂから出力される識別光は、波長λ２の主光信号に対応付けられた固有の周波数ｆ２で周波数変調されている。
【００５５】
光スイッチＳＷの各出力端には光ファイバ６１ａ，６１ｂを介して波長分離器２１ａ，２１ｂがそれぞれ接続されている。波長分離器２１ａ，２１ｂは波長λ１又は波長λ２の主光信号と波長λｓｖの識別光とを分離するためのものである。これらの波長分離器２１ａ，２１ｂには分離された識別光を検出する識別子受信機２３ａ，２３ｂがそれぞれ接続されている。波長分離器２１ａ，２１ｂの内部構成は図１に示した波長分離器２１と同様である。
【００５６】
本実施形態では光スイッチＳＷに関して、光ファイバ６０ａが接続されている入力端と光ファイバ６１ａが接続されている出力端との経路、及び光ファイバ６０ｂが接続されている入力端と光ファイバ６１ｂが接続されている出力端との経路が確立されている、所謂クロス接続の状態であるとする。この状態において、波長多重器１５ａには波長λ１の主光信号と、この主光信号に対応付けられた周波数ｆ１で変調された識別光が入力されて波長多重される。同様に、波長多重器１５ｂには波長λ２の主光信号と、この主光信号に対応付けられた周波数ｆ２で変調された識別光が入力されて波長多重される。
【００５７】
この場合において、識別子送信機１２ａ，１２ｂは、波長λ１，λ２の主光信号と、この主光信号に対応づけた周波数ｆ１，ｆ２の電気周波数成分との対応関係を示す対応データを予めメモリ３０に出力して記憶させておく。波長分離器２１ａ，２１ｂに入射した主光信号及び識別光はそれぞれ波長分離されて、波長λ１の主光信号及び波長λ２の主光信号が出力される。
【００５８】
波長分離器２１ａで分離された識別光は識別子受信機２３ａで受信され、波長分離器２１ｂで分離された識別光は識別子受信機２３ｂで受信される。識別子受信機２３ａは入力した識別光から周波数がｆ１の電気周波数成分を検出し、識別子受信機２３ｂは入力した識別光から周波数がｆ２の電気周波数成分を検出する。識別光検出器２６ａ，２６ｂは検出した波長成分とメモリ３０に記憶されている対応データ中の波長成分とを比較して比較結果をアラーム発生器２７へ出力する。ここで、光スイッチＳＷの経路が設定通りに確立されているならば、識別子受信機２３ａはメモリ３０に記憶されている対応データから検出される電気周波数成分がｆ１であり、識別子受信機２３ｂは検出される電気周波数成分がｆ２であることを知ることができる。
【００５９】
光スイッチＳＷの経路が設定通りに確立されている場合には、識別子受信機２３ａでは周波数ｆ１の電気周波数成分のみが検出され、識別子受信機２３ｂでは周波数ｆ２のの電気周波数成分のみが検出される。よって、周波数比較機２６ａ，２６ｂの検出結果は両者が一致しているものとなり、この比較結果がアラーム発生器２７へ出力されてもアラームが発生しないため、経路が正しく設定されていることを知ることができる。一方、識別子受信機２３ａ，２３ｂの双方で周波数ｆ１の電気周波数成分及び周波数ｆ２の電気周波数成分が検出された場合には、メモリ３０に記憶されている対応データで示される対応関係と相違することになるので、経路の誤接続を監視することができる。尚、識別子受信機２３ａ，２３ｂの双方で周波数ｆ１の電気周波数成分及び周波数ｆ２の電気周波数成分が検出される場合には光スイッチＳＷにおいてクロストークが発生している状態である。
【００６０】
尚、本実施形態においても識別子送信機１２ａ，１２ｂとメモリ３０と識別子受信機２３ａ，２３ｂの接続インターフェイスは任意の構成でよい。例えば、専用の光回線であっても、Ｅｔｈｅｒｎｅｔ（登録商標）のような電気的回線であっても良い。また、上記実施形態では、識別子送信機１２ａ，１２ｂが波長λ１，λ２の主光信号と周波数ｆ１，ｆ２の電気周波数成分との対応関係を示す対応データを生成してメモリ３０に出力して識別子受信機２３ａ，２３ｂが読み出すようにしていた。しかしながら、識別子送信機１２ａ，１２ｂと識別子受信機２３ａ，２３ｂとがメモリ３０を介してデータの送受を行わず、予め固定的な対応データを識別子送信機１２ａ，１２ｂと識別子受信機２３ａ，２３ｂとの双方に設けるようにしてもよい。更に、メモリ３０は前述した半導体記憶装置、ハードディスク等の磁気記録装置、光磁気記録装置、その他の記憶装置等の単純部品である必要はなく、データ管理センターのようなデータ管理能力を搭載したものであってもよい。また、メモリ３０は、一カ所に集中的に配備した構成であっても良く、分散的に配備した構成であっても良い。
【００６１】
〔第６実施形態〕
図６は、本発明の第６実施形態による光信号伝送システム、光信号送信装置、及び光信号受信装置の構成を示すブロックである。本実施形態は、図３に示した本発明の第３実施形態による光信号伝送システム、光信号送信装置、及び光信号受信装置を第５実施形態と同様に光スイッチＳＷの経路を監視する場合に適用している。本実施形態では、図５に示した識別子送信機１２ａ，１２ｂに代えて、図３に示した識別子送信機４１と同様の構成の識別子送信機４１ａ，４１ｂを設け、更に識別子受信機２３ａ，２３ｂに代えて、図３に示した識別子受信機５２と同様の構成の識別子受信機５２ａ，５２ｂを設けた点が相違する。
【００６２】
識別子送信機４１ａが備える識別光レーザダイオード４２ａは波長λ１ｓｖの識別光を射出し、識別子送信機４１ｂが備える識別光レーザダイオード４２ｂは波長λ２ｓｖの識別光を射出する。識別光の波長λ１ｓｖ，λ２ｓｖは互いに異なる波長であって、更に主光信号の波長λ１，λ２とも異なる波長に設定される。波長λ１ｓｖは波長λ１の主光信号に対応付けられる固有の波長であり、波長λ２ｓｖは波長λ２の主光信号に対応付けられる固有の波長である。
【００６３】
本実施形態においても第５実施形態と同様に、光スイッチＳＷに関して、光ファイバ６０ａが接続されている入力端と光ファイバ６１ａが接続されている出力端との経路、及び光ファイバ６０ｂが接続されている入力端と光ファイバ６１ｂが接続されている出力端との経路が確立されている、所謂クロス接続の状態であるとする。この状態において、波長多重器１５ａには波長λ１の主光信号と、この主光信号に対応付けられた波長λ１ｓｖの識別光が入力されて波長多重される。同様に、波長多重器１５ｂには波長λ２の主光信号と、この主光信号に対応付けられた波長λ２ｓｖの識別光が入力されて波長多重される。
【００６４】
この場合において、識別子送信機１２ａ，１２ｂは、波長λ１，λ２の主光信号とこの主光信号に対応づけた波長λ１ｓｖ，λ２ｓｖの識別光との対応関係を示す対応データを予めメモリ３０に出力して記憶させておく。波長分離器２１ａ，２１ｂに入射した主光信号及び識別光はそれぞれ波長分離されて、波長λ１の主光信号及び波長λ２の主光信号が出力される。
【００６５】
波長分離器２１ａで分離された波長λ１ｓｖの識別光は識別子受信機５２ａで受信され、波長分離器２１ｂで分離された波長λ２ｓｖの識別光は識別子受信機５２ｂで受信される。識別子受信機５２ａは入力した波長λ１ｓｖの識別光を光フィルタ５３ａでフィルタリングする。光フィルタ５３ａを通過した識別光は、識別光検出器５４ｂで検出され、検出された波長成分とメモリ３０に記憶されている対応データ中の波長成分とを比較して比較結果をアラーム発生器２７へ出力する。
【００６６】
同様に、識別子受信機５２ｂは入力した波長λ２ｓｖの識別光を光フィルタ５３ｂでフィルタリングし、光フィルタ５３ｂを通過した識別光が識別光検出器５４ｂで検出される。識別光が検出されると、検出された波長成分とメモリ３０に記憶されている対応データ中の波長成分とを比較して比較結果をアラーム発生器２７へ出力する。ここで、光スイッチＳＷの経路が設定通りに確立されているならば、識別子受信機５２ａはメモリ３０に記憶されている対応データから検出される波長成分がλ１ｓｖであり、識別子受信機５２ｂは検出される波長成分がλ２ｓｖであることを知ることができる。
【００６７】
光スイッチＳＷの経路が設定通りに確立されている場合には、識別子受信機５２ａではλ１ｓｖの波長成分のみが検出され、識別子受信機２３ｂではλ２ｓｖの波長成分のみが検出される。これ以外の場合、例えば、識別子受信機５２ａでλ２ｓｖの波長成分が検出され、識別子受信機５２ｂでλ１ｓｖの波長成分のみが検出された場合には、光スイッチＳＷの経路が光ファイバ６０ａと光ファイバ６１ｂとを接続し、光ファイバ６０ｂと光ファイバ６１ａとを接続している、所謂ストレート接続の状態に設定されており、光スイッチＳＷが誤動作していることが分かる。
【００６８】
また、識別子受信機５２ａ及び識別子受信機５２ｂの双方において、波長λ１ｓｖの識別光と波長λ２ｓｖの識別光とが共に検出される場合には、光スイッチＳＷにおいてクロストークが発生している状態である。尚、以上説明した第５実施形態及び第６実施形態において、光スイッチＳＷの誤動作の状態に応じて、クロス接続であるか、ストレート接続であるか、又はクロストークが発生している状態であるかを区別するアラームを発生するようにしても良い。
【００６９】
尚、本実施形態においても識別子送信機４１ａ，４１ｂとメモリ３０と識別子受信機５２ａ，５２ｂの接続インターフェイスは任意の構成でよい。例えば専用の光回線であっても、Ｅｔｈｅｒｎｅｔ（登録商標）のような電気的回線であっても良い。また、上記実施形態では、識別子送信機４１ａ，４１ｂが波長λ１，λ２の主光信号と波長λ１ｓｖ，λ２ｓｖの識別光との対応関係を示す対応データを生成してメモリ３０に出力して識別子受信機５２ａ，５２ｂ各々が読み出すようにしていた。しかしながら、識別子送信機４１ａ，４１ｂと識別子受信機５２ａ，５２ｂとがメモリ３０を介してデータの送受を行わず、予め固定的な対応データを識別子送信機４１ａ，４１ｂと識別子受信機５２ａ，５２ｂとの双方に設けるようにしてもよい。更に、メモリ３０は前述した半導体記憶装置、ハードディスク等の磁気記録装置、光磁気記録装置、その他の記憶装置等の単純部品である必要はなく、データ管理センターのようなデータ管理能力を搭載したものであってもよい。また、メモリ３０は、一カ所に集中的に配備した構成であっても良く、分散的に配備した構成であっても良い。
【００７０】
以上、本発明の実施形態による光信号伝送システム及び方法、光信号送信装置及び方法、並びに光信号受信装置及び方法について説明したが、本発明は上記実施形態に制限されず、本発明の範囲内で自由に変更が可能である。
【００７１】
【発明の効果】
以上、説明したように、本発明によれば、主光信号に対応させて当該主光信号の波長とは異なる波長の識別光を波長多重し、所望の監視点において識別光を主光信号から波長分離して取り出す。受信した主光信号と識別光との対応関係と、送信側における主光信号と識別光との対応関係とが一致しているか否かを監視すれば、主光信号を光電気変換することなく送信側と受信側とが正しく対応しているか否かを監視することができるという効果がある。
また、主光信号に対して光電気変換する必要がないため、この監視は主光信号速度・フォーマットに依存することなく行うことが可能であるという効果がある。
更に、主光信号への識別子の付加は、主光信号の送信端に限らず、送信端から受信端までの経路中の任意の位置で行うことが可能であり、付け替えも可能であるため、柔軟な監視を行うことができるという効果がある。
【図面の簡単な説明】
【図１】本発明の第１実施形態による光信号伝送システム、光信号送信装置、及び光信号受信装置の構成を示すブロックである。
【図２】本発明の第２実施形態による光信号伝送システム、光信号送信装置、及び光信号受信装置の構成を示すブロックである。
【図３】本発明の第３実施形態による光信号伝送システム、光信号送信装置、及び光信号受信装置の構成を示すブロックである。
【図４】本発明の第４実施形態による光信号伝送システム、光信号送信装置、及び光信号受信装置の構成を示すブロックである。
【図５】本発明の第５実施形態による光信号伝送システム、光信号送信装置、及び光信号受信装置の構成を示すブロックである。
【図６】本発明の第６実施形態による光信号伝送システム、光信号送信装置、及び光信号受信装置の構成を示すブロックである。
【符号の説明】
１０　　光信号送信装置
１２，１２−１〜１２−４，１２ａ，１２ｂ　　識別子送信機（識別子送信手段）
１３，１３ａ，１３ｂ　　周波数変調器
１４，１４ａ，１４ｂ　　識別光レーザダイオード（レーザ光源）
１５，１５ａ，１５ｂ　　波長多重器（波長多重手段）
２０　　　　　　　　　　光信号受信装置
２１，２１ａ，２１ｂ　　波長分離器（波長分離手段）
２３，２３ａ，２３ｂ，２３−１〜２３−４　　識別子受信機（比較手段）
２４，２４ａ，２４ｂ　　識別光検出器（検出手段）
２５，２５ａ，２５ｂ　　周波数検出器（検出手段）
２７　　アラーム発生器（通知手段）
３０　　メモリ（記憶手段）
４１，４１−１〜４１−４，４１ａ，４１ｂ　　識別子送信機（識別子送信手段）
４２，４２ａ，４２ｂ　　識別光レーザダイオード（光源装置）
５２，５２ａ，５２ｂ，５２−１〜５２−４　　識別子受信機（比較手段）
５３，５３ａ，５３ｂ　　光フィルタ（検出手段）
５４，５４ａ，５４ｂ　　識別光検出器（検出手段）
Ｎ　　波長多重光波ネットワーク
【図１】
2004040668.tif 000003
【図２】
2004040668.tif 000004
【図３】
2004040668.tif 000005
【図４】
2004040668.tif 000006
【図５】
2004040668.tif 000007
【図６】
2004040668.tif 000008